(57)【要約】【課題】地盤改良工において、支持地盤の深度を簡易かつ短時間に測定することができる、支持地盤の深度測定方法を提供する。【解決手段】支持地盤１の深度測定方法であって、地表面における任意の基準点Ｐと同時の常時微動観測を複数セット行い、常時微動観測による常時微動波形から、各観測セットにおける基準点Ｐからの鉛直フーリエスペクトル比を求めて、２セットの前記鉛直フーリエスペクトル比に見られるピーク周期差を求め、別途実施した数値解析結果に基づいて、前記ピーク周期差から２観測地点間の支持地盤１の深度差を求め、前記深度差と前記いずれかの観測地点で実施された地盤調査から判明した深度の深度とを用いて、支持地盤１の深度を測定する。【選択図】図１
2018178618.tif 000002
【特許請求の範囲】
【請求項１】
支持地盤の深度測定方法であって、地表面において、任意の基準点と、前記基準点と間隔をあけた観測地点との同時の常時微動観測を複数セット行い、前記常時微動観測による常時微動波形から、各観測セットにおける前記基準点からの鉛直フーリエスペクトル比を求めて、２セットの前記鉛直フーリエスペクトル比に見られるピーク周期差を求め、別途実施した数値解析結果に基づいて、前記ピーク周期差から２観測地点間の前記支持地盤の深度差を求め、前記深度差と前記いずれかの観測地点で実施された地盤調査から判明した深度を用いて、前記支持地盤の深度を測定することを特徴とする、支持地盤の深度測定方法。
【請求項２】
前記数値解析結果は、下記（１）式、
ΔＨ＝Ｆ（ΔＴ，Ｖｓ）   --- （１）
但し、（１）式において、
ΔＨ：支持地盤の深度差、
ΔＴ：ピーク周期差、
Ｖｓ：改良地盤の剛性、
に基づいて求めることを特徴とする、請求項１に記載の、支持地盤の深度測定方法。
【請求項３】
前記複数セットによる前記支持地盤の深度により前記支持地盤の傾斜を把握することを特徴とする、請求項１または２に記載の、支持地盤の深度測定方法。
【発明の詳細な説明】
【技術分野】
【０００１】
この発明は、支持地盤の深度測定方法、特に、地盤改良工において、支持地盤の深度を簡易かつ短時間に測定することができる、支持地盤の深度測定方法に関するものである。
【背景技術】
【０００２】
軟弱地盤上に、鉄道構造物等の構造物を構築するには、地盤改良工を実施する必要がある。この場合、地盤改良工の実施深さは、事前の標準貫入試験等の地盤調査により決定するのが一般的である。
【０００３】
事前の標準貫入試験等の地盤調査により地盤改良工の実施深さを決定する場合、鉄道線路のように対象区間が長くなると、支持地盤の深度を、傾斜等も考慮して、適切かつ連続的に把握するためには、多数の地盤調査が必要となる。
【０００４】
支持地盤の深度をボーリング調査により決定する地盤調査の一例を図５に示す。図５に示すように、支持地盤１の深度は、図５中、破線で示すように変化し、改良対象層２の調査ボーリングを行った２箇所３ａ、３ｂ間の支持地盤１の深度は、直線的に傾斜しているものと判断している。
【０００５】
しかしながら、２箇所３ａ、３ｂ間の支持地盤１の深度は、実際は、図５中、一点鎖線で示すように、山形に傾斜している場合、あるいは、図５中、二点鎖線で示すように、谷形に傾斜している場合も十分にあり得る。
【０００６】
地盤改良は、例えば、図６に示すように、複数本の改良杭４を改良対象層２に施工することによって行う。実施深さは、改良杭４の施工中に支持地盤を確認するが、２箇所３ａ、３ｂ間の改良対象層２が山形に傾斜している場合には、余分な深さまで改良杭４を施工するおそれがある。一方、２箇所３ａ、３ｂ間の改良対象層２が谷形に傾斜している場合は、改良杭４が支持地盤１に到達しないおそれがある。また、実際の支持地盤まで改良杭４が施工されたとしても、当初の施工計画と異なり、急な作業工程や材料供給の変更を余儀なくされることで、施工効率が低下する可能性がある。
【発明の概要】
【発明が解決しようとする課題】
【０００７】
このようなことから、地盤改良工において、支持地盤の深度を事前に把握して、深度に見合った地盤改良を行うことは重要である。
【０００８】
この対処法として、上述したように、支持地盤の深度を、傾斜等も考慮して、多数の地盤調査により行う方法があるが、かかる方法は、多大な工費と時間を要する。
【０００９】
このために、支持地盤の深度を簡易かつ短時間に測定することができる、支持地盤の深度測定方法の開発が望まれているが、かかる方法は、まだ提案されていないのが現状である。
【００１０】
従って、この発明の目的は、地盤改良工において、支持地盤の深度を、多数の地盤調査により行う場合に比べて、簡易かつ短時間に測定することができる、支持地盤の深度測定方法を提供することにある。
【課題を解決するための手段】
【００１１】
この発明は、上記目的を達成するためになされたものであり、下記を特徴とするものである。
【００１２】
請求項１に記載の発明は、支持地盤の深度測定方法であって、地表面における任意の基準点と、前記基準点と間隔をあけた観測地点との同時の常時微動観測を複数セット行い、前記常時微動観測による常時微動波形から、各観測セットにおける前記基準点からの鉛直フーリエスペクトル比を求めて、２セットの前記鉛直フーリエスペクトル比に見られるピーク周期差を求め、別途実施した数値解析結果に基づいて、前記ピーク周期差から２観測地点間の前記支持地盤の深度差を求め、前記深度差と前記いずれかの観測地点で実施された地盤調査から判明した深度を用いて、前記支持地盤の深度を測定することに特徴を有するものである。
【００１３】
請求項２に記載の発明は、請求項１に記載の発明において、前記数値解析結果から評価される、下記（１）式、
ΔＨ＝Ｆ（ΔＴ，Ｖｓ）   --- （１）
但し、（１）式において、
ΔＨ：支持地盤の深度差、
ΔＴ：ピーク周期差、
Ｖｓ：改良地盤の剛性、
に基づいて求めることに特徴を有するものである。
【００１４】
請求項３に記載の発明は、請求項１または２に記載の発明において、前記複数セットによる前記支持地盤の深度により前記支持地盤の傾斜を把握することに特徴を有するものである。
【発明の効果】
【００１５】
この発明によれば、地盤改良工において、支持地盤の深度を、多数の地盤調査により行う場合に比べて、簡易かつ短時間に測定することができる。
【図面の簡単な説明】
【００１６】
【図１】２観測地点同時の常時微動観測の基本原理説明図である。
【図２】フーリエスペクトル比を示すグラフである。
【図３】数値解析結果に基づくピーク周期差と支持地盤の深度差との関係を示すグラフである。
【図４】この発明による、支持地盤の深度測定方法を示す断面図である。
【図５】地盤調査の一例を示す断面図である。
【図６】改良杭による地盤改良法を示す断面図である。
【発明を実施するための形態】
【００１７】
この発明の、支持地盤の深度測定方法の基本原理を、図面を参照しながら説明する。
【００１８】
図１は、２観測地点同時の常時微動観測の基本原理説明図、図２は、フーリエスペクトル比を示すグラフ、図３は、数値解析結果に基づくピーク周期差と支持地盤の深度差との関係を示すグラフである。
【００１９】
この発明の、支持地盤の深度測定方法は、図１に示すように、支持地盤１上の改良対象層２の地表面における任意の基準点Ｐと、基準点Ｐと間隔をあけたＡ観測地点とに微動計５を設置して、基準点ＰとＡ観測地点とにおける常時微動を同時観測する。
【００２０】
次に、基準点Ｐと間隔をあけたＢ観測地点とに微動計５を設置して、基準点ＰとＢ観測地点とにおける常時微動を同時観測する。すなわち、地表面において基準点Ｐと同時の常時微動観測を２セット行う。図１ではこのようなセットとして、セットＡＢとセットＢＣを示している。
【００２１】
次に、常時微動観測による常時微動波形から、各セットにおいて２観測地点における基準点Ｐからの鉛直フーリエスペクトル比をそれぞれ求め、この鉛直フーリエスペクトル比に見られるピーク周期差ΔＴを求める（図２参照）。セットＡＢからＡ観測地点とＢ観測地点の周期差ΔＴAB、セットＢＣからＢ観測地点とＣ観測地点の周期差ΔＴBCを評価する。
【００２２】
次に、数値解析式に基づいて、ピーク周期差ΔＴから２観測地点間の支持地盤の深度差ΔＨを求める（図３参照）。セットＡＢからＡ観測地点とＢ観測地点の深度差ΔＨAB、セットＢＣからＢ観測地点とＣ観測地点の深度差ΔＨBCを評価する。
【００２３】
ここで、数値解析式は、下記（１）式からなっている。
【００２４】
ΔＨ＝Ｆ（ΔＴ，Ｖｓ）   --- （１）
但し、（１）式において、
ΔＨ：支持地盤の深度差、
ΔＴ：ピーク周期差、
Ｖｓ：改良地盤の剛性。
【００２５】
ここでＡ、Ｂ、Ｃ観測地点のいずれかにおいて、地盤調査が実施されており、その深度が既知である場合に、その他の観測地点の深度を測定することができる。例えば、Ａ観測地点で、深度Ｌ３が既知である場合に、深度差ΔＨに基づいて、Ｂ観測地点とＣ観測地点における支持地盤１の深度Ｌ１、Ｌ２を測定することができる。また、深度差ΔＨを求めることによって、深度差ΔＨと２観測地点間の距離から支持地盤１の傾斜状態を把握することができる。
【００２６】
なお、Ｂ観測地点の支持地盤１の深度Ｌ１は、Ａ観測地点の支持地盤１の深度Ｌ３に深度差ΔＨABを加えたものである。Ｃ観測地点の支持地盤１の深度Ｌ２は、Ｂ観測地点の支持地盤１の深度Ｌ１に深度差ΔＨBCを加えたものである。
【００２７】
この発明により、実際に、支持地盤の深度を測定するには、図４に示すように、ボーリング調査箇所３を含む複数個所において、基準点６との微動計５による同時の常時微動観測を行えば、上述したように、常時微動観測を実施した区間の支持地盤１の深度と、これに基づいて、この区間の支持地盤１の傾斜を測定することができる。
【００２８】
以上、説明したように、この発明によれば、地盤改良工における支持地盤の深度を、常時微動観測を行うことによって、多数の地盤調査を行う場合に比べて、簡易かつ短時間に測定することができる。
【符号の説明】
【００２９】
１：支持地盤
２：改良対象層
３：ボーリング調査箇所
４：改良杭
５：微動計
６：基準点
【図１】
2018178618.tif 000003
【図２】
2018178618.tif 000004
【図３】
2018178618.tif 000005
【図４】
2018178618.tif 000006
【図５】
2018178618.tif 000007
【図６】
2018178618.tif 000008